【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
特に多層フィルム体の形の表示デバイス（１０）であって、該表示デバイス（１０）が、第一のエリア（２２）において、第一の電極（４１）と、第二の電極（４２）と、第三の電極（４３）と、表示材料を備える表示層（１２２）と、を有し、前記表示層（１２２）が、前記第一の電極（４１）と前記第二の電極（４２）との間に配置され、前記第三の電極（４３）が、前記表示層（１２２）の前記第一の電極（４１）から離れた側に配置され、前記第一の電極（４１）が絶縁された電極として形成され、前記表示層（１２２）により広がる面に垂直に観察した場合、前記第一の電極（４１）が、前記第二の電極（４２）及び前記第三の電極（４３）の双方と、少なくとも部分的に重なり、
前記第二の電極（４２）が、前記第一のエリア（２２）において、モチーフの形で形成され、前記第三の電極（４３）が、表示層（１２２）により広がる面に垂直に観察される場合、少なくとも前記モチーフの背景エリアにおいて備えられ、その結果、前記第二及び第三の電極に印加される電圧の極性が変化すると、特に前記モチーフの反転表示がもたらされること、
を特徴とする表示デバイス。
【請求項２】
前記第一の電極（４１）が、全ての側面で、誘電体層により囲まれること、
を特徴とする請求項１に記載の表示デバイス（１０）。
【請求項３】
前記第一、第二及び第三の電極（４１、４２、４３）が、透明に形成されること、
を特徴とする請求項１または２に記載の表示デバイス（１０）。
【請求項４】
前記表示材料が、前記第二及び第三の電極（４２、４３）の間に電圧が印加されると、前記第一及び第二の電極（４１、４２）の重複エリアと、前記第一及び第三の電極（４１、４３）の重複エリアとにおいて、異なる光学特性を示し、特に、異なる色を示すように形成され、及び／または、前記表示材料が、液体に分散される多数の荷電粒子を有し、該液体と該粒子とが、それらの光学特性の点で異なり、特にそれらの色の点で異なり、及び／または、前記表示材料が、多数の第一の粒子と、多数の第二の粒子とを有し、該第一の粒子が、該第二の粒子と、それらの電荷及び光学的特性に関して異なり、特に、該第一の粒子が、正に帯電され、該第二の粒子が、負に帯電され、前記第一の粒子と前記第二の粒子とが、反射で観察される場合に、異なる光学特性を示し、特にそれらの色、反射率及び／または散乱作用の点で異なること、
を特徴とする請求項１から３のいずれか１項に記載の表示デバイス（１０）。
【請求項５】
前記モチーフが、複数の部分的なモチーフから構成され、前記第二及び／または第三の電極（４２、４３）が、帯状の導体により接続される複数の部分的電極（４２１、４３１）を有し、それらが、前記部分的なモチーフの一つの形でそれぞれ形成され、前記帯状の導体が、好ましくは300μm未満、特に100μm未満の幅を有し、及び／または、前記第二及び第三の電極（４２、４３）が、前記第二及び第三の電極に印加される前記電圧の極性が変わると、モーション効果が発生し、特に、対象のモーションの錯覚が、光学効果として示されるように形成され配置されること、
を特徴とする請求項１から４のいずれか１項に記載の表示デバイス（１０）。
【請求項６】
前記第二及び／または第三の電極（４２、４３）が、対象、特に回転対称の対象のセグメントの形でそれぞれ形成される、二つ以上の部分的電極（４２１、４３１）をそれぞれ有し、前記第二の電極（４２）と前記第三の電極（４３）の前記部分的な電極（４２１、４３１）の一つが、交互に配列されること、
を特徴とする請求項５に記載の表示デバイス（１０）。
【請求項７】
前記第二の電極が、互いに電気的に接続される、複数の部分的な電極（４２１）を有し、それらが300μm未満、好ましくは200μm未満、さらに好ましくは100μm未満の格子幅を備える一次元または二次元格子に従って配置され、前記部分的な電極（４２１）が、特に、それぞれ、点状の、または線状の形状を有し、特に、前記部分的な電極（４２１）の幅、または、前記格子の格子間隔が、グレースケールイメージを生じるために変化し、及び／または、特に、前記格子が、幾何学的に変形された格子であり、前記部分的な電極（４２１）が、特に波線の形状を有すること、
を特徴とする請求項１から６のいずれか１項に記載の表示デバイス（１０）。
【請求項８】
前記第二及び第三の電極（４２、４３）が、前記第一の電極（４１）からの間隔の点で異なり、特に、前記第一の電極（４１）により広がる面に対する法線に対して互いに間隔を隔てる、異なる導電層（１２３、１２５）のエリアにより、形成されること、
を特徴とする請求項１から７のいずれか１項に記載の表示デバイス（１０）。
【請求項９】
前記第二の電極（４２）が、前記第一の電極（４１）と前記第三の電極（４３）との間に配置され、前記第二の電極（４２）と前記第三の電極（４３）とが、前記表示層（１２２）により広がる面に対して、少なくとも部分的に重なり、特に50%未満、さらに好ましくは25%未満重なり、及び／または、前記第三の電極（４３）が、前記第二の電極（４２）と完全に重なること、
を特徴とする請求項８に記載の表示デバイス（１０）。
【請求項１０】
前記第一及び第二の電極（４１、４２）間の距離と、前記第一及び第三の電極（４１、４３）間の距離と、前記第二及び第三の電極（４２、４３）間の距離とが、c12を前記第一の電極と第二の電極との間のキャパシタンス、c13を前記第一の電極と第三の電極との間のキャパシタンス、c23を前記第二の電極と第三の電極との間のキャパシタンスとした場合、c23が、1/(1/c12+1/c13)より小さいように選択され、及び／または、前記第三の電極（４３）が、前記第二の電極（４２）のエリアにおいて、凹部を有し、前記第一の電極（４１）と前記第三の電極（４３）との間の距離が、特に前記第二の電極（４２）のエリアにおいて、前記第三の電極（４３）が備えられ前記第二の電極（４２）が備えられないエリアよりも大きく、特に、d1を前記第一の電極と前記第二の電極との間の距離、d2を前記第一の電極と前記第三の電極の凸部との間の距離、d3を前記第一の電極と前記第三の電極の前記凹部との間の距離とした場合、d1が略d2と等しく、d3がd2よりはるかに大きいこと、
を特徴とする請求項８または９に記載の表示デバイス（１０）。
【請求項１１】
該表示デバイス（１０）が第四の電極（４４）を有し、前記第二及び第四の電極（４２、４４）が前記第一及び第三の電極（４１、４３）の間に配置され、前記第一及び第四の電極（４１、４４）が、前記表示層（１２２）により広がる面に垂直に観察された場合、少なくとも部分的に重なること、
を特徴とする請求項１から１０のいずれか１項に記載の表示デバイス（１０）。
【請求項１２】
前記第四の電極（４４）が、前記第一のエリア（２２）内に配置され、前記第二の電極（４２）が、第一の情報（７１）を形成し、前記第四の電極（４４）が、第二の情報（７２）を形成し、及び／または、第五の電極（４５）が、前記第一のエリア（２２）外に配置され、前記第一及び第五の電極（４１、４５）が、前記表示層（１２２）により広がる面に垂直に観察された場合、少なくとも部分的に重なり、及び／または、前記第三の電極（４３）が、少なくとも、前記第二及び第四の電極（４２、４４）によりカバーされない前記第一のエリア（２２）において、備えられること、
を特徴とする請求項１１に記載の表示デバイス（１０）。
【請求項１３】
前記第二の電極（４２）が、互いに電気的に接続され、第一の情報（７１）を形成するように形成され配置される、第一の部分的な電極（４２１）を多数有し、前記第四の電極（４４）が、互いに電気的に接続され、第二の情報（７２）を形成するように形成され配置される、第二の部分的な電極（４４１）を多数有し、前記第一及び第二の部分的な電極（４２１、４４１）が、それぞれ300μm未満の幅を有し、前記第一及び第二の部分的な電極（４２１、４４１）が、互いに格子配列で配置され、特に交互に配置され、特に、前記第一及び第二の部分的な電極（４２１、４４１）が、それぞれ直線的な形状を有し、前記第一及び第二の部分的な電極（４２１、４４１）が、750μm未満の格子幅を備える一次元格子に従って配置されること、
を特徴とする請求項１１または１２に記載の表示デバイス（１０）。
【請求項１４】
前記第一のエリア（２２）内において、第五の電極（４５）が、前記表示層（１２２）の前記第一の電極（４１）から離れた側に配置され、前記第三の電極（４３）が、互いに電気的に接続される、第三の部分的な電極（４３１）を多数有し、前記第五の電極（４５）が、互いに電気的に接続される、第四の部分的な電極（４５１）を多数有し、前記第三及び第四の部分的な電極（４３１、４５１）が、それぞれ300μm未満の幅を有し、前記第三及び第四の部分的な電極（４３１、４５１）が、互いに格子配列で配置され、特に交互に配置され、及び／または、該表示デバイス（１０）が、整流器を有し、該整流器の二つの出力端のうちの一方が、前記第三の電極（４３）に接続され、該整流器の出力端のうちの他方が、前記第五の電極（４５）に接続され、該表示デバイスが電源（３３）を有し、該電源（３３）の出力端の一方が、前記整流器の入力端の一方及び前記第二の電極（４２）に接続され、該電源（３３）の出力端の他方が、前記整流器の入力端の他方及び前記第四の電極（４４）に接続され、該電源（３３）が、特に圧電素子であること、
を特徴とする請求項１１から１３のいずれか１項に記載の表示デバイス（１０）。
【請求項１５】
該表示デバイス（１０）が、回折性のセキュリティエレメント、観察角度に応じたカラーシフト効果を特に生じる薄膜層系を含むセキュリティエレメント、光学可変色素を含むセキュリティエレメント、マイクロレンズを含むセキュリティエレメント、液晶を含むセキュリティエレメント、から特に選択される、一つ以上の光学的なセキュリティエレメントを有すること、
を特徴とする請求項１から１４のいずれか１項に記載の表示デバイス（１０）。
【手続補正２】
【補正対象書類名】明細書
【補正対象項目名】００５５
【補正方法】変更
【補正の内容】
【００５５】
【図１ａ】表示デバイスを備える有価ドキュメントの概略上面図を示す。
【図１ｂ】図１ａの表示デバイスの概略断面図を示す。
【図１ｃ】図１ｂの表示デバイスの一部分の概略断面図を示す。
【図２】表示デバイスの一部分の概略断面図を示す。
【図３】表示デバイスの一部分の概略断面図を示す。
【図４】表示デバイスの一部分の概略断面図を示す。
【図５ａ】表示デバイスの電極の概略上面図を示す。
【図５ｂ】図５ａの表示デバイスの一領域の概略上面図を示す。
【図５ｃ】図５ａの表示デバイスの一領域の概略上面図を示す。
【図６ａ】表示デバイスの電極の概略上面図を示す。
【図６ｂ】表示デバイスの電極の概略上面図を示す。
【図６ｃ】図６ａの表示デバイスの一領域の概略上面図を示す。
【図６ｄ】図６ｂの表示デバイスの一領域の概略上面図を示す。
【図７ａ】表示デバイスの電極の概略上面図を示す。
【図７ｂ】図７ａの表示デバイスの概略上面図を示す。
【図７ｃ】図７ａの表示デバイスの概略上面図を示す。
【図８ａ】表示デバイスの電極の一部の概略上面図を示す。
【図８ｂ】図８ａの表示デバイスの一領域の概略上面図を示す。
【図９ａ】表示デバイスの電極の一部の概略上面図を示す。
【図９ｂ】表示デバイスの電極の一部の概略上面図を示す。
【図９ｃ】図９ａの表示デバイスの一領域の概略上面図を示す。
【図９ｄ】図９ｂの表示デバイスの一領域の概略上面図を示す。
【図１０ａ】表示デバイスの電極の一部の概略上面図を示す。
【図１０ｂ】表示デバイスの電極を備える一部の概略断面図を示す。
【図１１ａ】表示デバイスの一部の概略断面図を示す。
【図１１ｂ】図１１ａの表示デバイスの電極の可能な接触の回路図を示す。
【図１２ａ】表示デバイスの一つ以上の電極の概略上面図を示す。
【図１２ｂ】表示デバイスの一つ以上の電極の概略上面図を示す。
【図１２ｃ】表示デバイスの一つ以上の電極の概略上面図を示す。
【図１２ｄ】表示デバイスの一つ以上の電極の概略上面図を示す。
【図１２ｅ】表示デバイスの一つまたは二つの電極の上面図を示す。
【図１２ｆ】表示デバイスの一つまたは二つの電極の上面図を示す。
【図１２ｇ】異なる電位が印加される場合の、図１２ｅ、図１２ｆ、図１２ｈ、図１２ｉの表示デバイスの一領域の拡大上面図を示す。
【図１２ｈ】表示デバイスの一つまたは二つの電極の上面図を示す。
【図１２ｉ】表示デバイスの一つまたは二つの電極の上面図を示す。
【図１２ｊ】異なる電位が印加される場合の、図１２ｅ、図１２ｆ、図１２ｈ、図１２ｉの表示デバイスの一領域の拡大上面図を示す。
【図１３ａ】表示デバイスの二つの電極の概略上面図を示す。
【図１３ｂ】表示デバイスの二つの電極の概略上面図を示す。
【図１３ｃ】第一の電圧が印加される場合の、図１３ａ及び図１３ｂの表示デバイスの一つ以上の電極面の概略上面図を示す。
【図１３ｄ】第一の電圧が印加される場合の、図１３ａ及び図１３ｂの表示デバイスの一つ以上の電極面の概略上面図を示す。
【図１３ｅ】第一の電圧が印加される場合の、図１３ａ及び図１３ｂの表示デバイスの一つ以上の電極面の概略上面図を示す。
【図１３ｆ】第二の電圧が印加される場合の、図１３ａ及び図１３ｂの表示デバイスの一つ以上の電極面の上面図を示す。
【図１３ｇ】第二の電圧が印加される場合の、図１３ａ及び図１３ｂの表示デバイスの一つ以上の電極面の上面図を示す。
【図１３ｈ】第二の電圧が印加される場合の、図１３ａ及び図１３ｂの表示デバイスの一つ以上の電極面の上面図を示す。
【図１４】表示デバイスの一部の概略断面図を示す。
【手続補正３】
【補正対象書類名】明細書
【補正対象項目名】００７１
【補正方法】変更
【補正の内容】
【００７１】
電極４１は、絶縁された電極として形成される。従って、電極４１は、電位、及び特に電流源または電圧源には、電気的に接続されず、電極４１を、電流源または電圧源、または、電子回路に電気的に接続することが可能な、接続エレメントにも接続されない。絶縁された電極４１は、誘電体材料により、完全に囲まれることが好ましく、その結果、電極４１からの電荷の流入または電荷の流出は、不可能であるか、非常に困難である。従って、電極４１のエッジは、図１ｃには示されていないが、誘電体により、同様に完全にカバーされることが好ましい。さらに、誘電体層１２０は、電極４１の外側で、表示層１２２の表面、または、表示層１２２と電極４１との間に配置されるさらなる誘電体層に接続されてもよく、その結果、電極４１は、誘電体層１２０と表示層１２２、または、表示層１２２と導電層１２１との間に配置される誘電体層とにより、封入される。用いられる表示材料の内部抵抗に応じて、僅かな漏れ電流が、表示層１２２を越えて、電極４２及び４３に対して流れる。これは、表示デバイスの双安定挙動が、ある制限範囲内で、これにより影響され得るため、有利であり得る。